(57)【特許請求の範囲】
【請求項１】
火災受信機と通信線を介して接続され、前記火災受信機からパルス間隔が異なる信号を組み合わせた制御命令を受信して、火災情報等の応答信号を返送する端末機器において、
低速クロックを発生する低速クロック発生部と、
高速クロックを発生する高速クロック発生部と、
タイマと、
火災の検出や故障の判断などの各種処理を行う場合には前記高速クロックで動作し、各種処理を行っていない待機状態では前記低速クロックで動作する制御部と
を備え、
前記制御部は、前記火災受信機との通信を行っていない待機状態では前記低速クロックで動作し、前記火災受信機から受信したパルスによる通信割り込みが発生すると、前記低速クロックを前記高速クロックに切り換え、
前記タイマが動作していると判断した場合には、前記高速クロックにより動作して前記タイマのタイマ値に基づいて前回受信したパルスとのパルス間隔を判断し、前記タイマをリセットして再び始動させた後に、前記高速クロックを前記低速クロックに切り換え、待機状態に戻ることを特徴とする端末機器。
【請求項２】
火災受信機と通信線を介して接続され、前記火災受信機からパルス間隔が異なる信号を組み合わせた制御命令を受信して、火災情報等の応答信号を返送する端末機器において、
低速クロックを発生する低速クロック発生部と、
高速クロックを発生する高速クロック発生部と、
タイマと、
火災の検出や故障の判断などの各種処理を行う場合には前記高速クロックで動作し、各種処理を行っていない待機状態では前記低速クロックで動作する制御部と
を備え、
前記制御部は、前記火災受信機との通信を行っていない待機状態では前記低速クロックで動作し、前記火災受信機から受信したパルスによる通信割り込みが発生するたびに前記低速クロックを前記高速クロックに切り換え、
前記タイマが動作していると判断した場合には、前記高速クロックにより動作してタイマ値を記憶するとともに、現在のパルスを受信したときの前記タイマのタイマ値と前回パルスを受信したときのタイマ値とに基づいて受信した前記信号のパルス間隔を判断した後に、前記高速クロックを前記低速クロックに切り換え、待機状態に戻ることを特徴とする端末機器。
【請求項３】
火災受信機と通信線を介して接続され、前記火災受信機からパルス幅が異なる信号を組み合わせた制御命令を受信して、火災情報等の応答信号を返送する端末機器において、
低速クロックを発生する低速クロック発生部と、
高速クロックを発生する高速クロック発生部と、
タイマと、
火災の検出や故障の判断などの各種処理を行う場合には前記高速クロックで動作し、各種処理を行っていない待機状態では前記低速クロックで動作する制御部と
を備え、
前記制御部は、前記火災受信機との通信を行っていない待機状態では前記低速クロックで動作し、前記火災受信機から受信したパルスエッジによる通信割り込みが発生すると、前記低速クロックを前記高速クロックに切り換え、
前記タイマが動作していると判断した場合には、前記高速クロックにより動作して前記タイマのタイマ値に基づいて受信した前記信号のパルス幅を判断し、前記タイマをリセットして再び始動させた後に、前記高速クロックを前記低速クロックに切り換え、待機状態に戻ることを特徴とする端末機器。
【請求項４】
火災受信機と通信線を介して接続され、前記火災受信機からパルス幅が異なる信号を組み合わせた制御命令を受信して、火災情報等の応答信号を返送する端末機器において、
低速クロックを発生する低速クロック発生部と、
高速クロックを発生する高速クロック発生部と、
タイマと、
火災の検出や故障の判断などの各種処理を行う場合には前記高速クロックで動作し、各種処理を行っていない待機状態では前記低速クロックで動作する制御部と
を備え、
前記制御部は、前記火災受信機との通信を行っていない待機状態では前記低速クロックで動作し、前記火災受信機から受信したパルスエッジによる通信割り込みが発生するたびに前記低速クロックを前記高速クロックに切り換え、
前記タイマが動作していると判断した場合には、前記高速クロックにより動作して前記タイマのタイマ値を記憶するとともに、現在のパルスエッジを受信したときの前記タイマのタイマ値と前回パルスエッジを受信したときのタイマ値とに基づいて受信した前記信号のパルス幅を判断した後に、前記高速クロックを前記低速クロックに切り換え、待機状態に戻ることを特徴とする端末機器。
【請求項５】
前記制御部は、前記制御命令が自分宛ではないと判断したときは、受信中の前記制御命令が終了するタイマ値になるまで、前記通信割り込みが発生しても前記高速クロックによる動作を行わないことを特徴とする請求項１〜請求項４のいずれか１項に記載の端末機器。
【発明の詳細な説明】
【技術分野】
【０００１】
本発明は、火災報知設備用の端末機器に関する。
【背景技術】
【０００２】
従来の火災報知設備用の端末機器として、例えば、火災受信機と、火災感知器や中継器等の端末機器とを通信線を介して接続して、火災受信機からの制御命令信号を受信した端末機器が火災情報等の応答信号を返送するものがある（例えば、特許文献１参照）。
【０００３】
このような火災報知設備では、通常、火災受信機と端末機器の配線の本数を少なくするために通信線により端末機器に電源も供給している。通信線が電源線を兼ねる場合は、端末機器の消費電流が多くなると通信線の線路抵抗による電圧降下により通信の信号の電圧が低下してしまい通信ができなくなったり、端末機器へ供給される電圧が低下してしまい端末機器の動作が不安定になるという問題点があった。
【０００４】
また、上記の問題点を解決するために端末機器の消費電流を低減する方法として、例えば、処理を行っていない状態では、外部からの命令を解読できるほどの低速で演算処理を行い、外部から正規の命令を受信したときには、高速で演算処理を行う技術が提案されている（例えば、特許文献２参照）。
【先行技術文献】
【特許文献】
【０００５】
【特許文献１】特開２００１−２０９８６７号公報
【特許文献２】特開２００１−９１０３２号公報
【発明の概要】
【発明が解決しようとする課題】
【０００６】
しかしながら、特許文献２に記載の端末機器は、低速で外部からの命令を解読するとはいえ、外部からの命令を解読できる程度の速度では演算処理を行う必要があり、その演算処理分の消費電流を低減することができないという問題点があった。
【０００７】
本発明は、上記のような課題を解決するためになされたもので、演算処理等の各種処理を行っていない状態の消費電流を低減することができる端末機器を提供するものである。
【課題を解決するための手段】
【０００８】
本発明の端末機器は、火災受信機と通信線を介して接続され、前記火災受信機からパルス間隔が異なる信号を組み合わせた制御命令を受信して、火災情報等の応答信号を返送する端末機器において、低速クロックを発生する低速クロック発生部と、高速クロックを発生する高速クロック発生部と、タイマと、火災の検出や故障の判断などの各種処理を行う場合には前記高速クロックで動作し、各種処理を行っていない待機状態では前記低速クロックで動作する制御部とを備え、前記制御部は、前記火災受信機との通信を行っていない待機状態では前記低速クロックで動作し、前記火災受信機から受信したパルスによる通信割り込みが発生すると、前記低速クロックを前記高速クロックに切り換え、前記タイマが動作していると判断した場合には、前記高速クロックにより動作して前記タイマのタイマ値に基づいて前回受信したパルスとのパルス間隔を判断し、前記タイマをリセットして再び始動させた後に、前記高速クロックを前記低速クロックに切り換え、待機状態に戻るものである。
【０００９】
また、本発明の端末機器は、火災受信機と通信線を介して接続され、前記火災受信機からパルス間隔が異なる信号を組み合わせた制御命令を受信して、火災情報等の応答信号を返送する端末機器において、低速クロックを発生する低速クロック発生部と、高速クロックを発生する高速クロック発生部と、タイマと、火災の検出や故障の判断などの各種処理を行う場合には前記高速クロックで動作し、各種処理を行っていない待機状態では前記低速クロックで動作する制御部とを備え、前記制御部は、前記火災受信機との通信を行っていない待機状態では前記低速クロックで動作し、前記火災受信機から受信したパルスによる通信割り込みが発生するたびに前記低速クロックを前記高速クロックに切り換え、前記タイマが動作していると判断した場合には、前記高速クロックにより動作してタイマ値を記憶するとともに、現在のパルスを受信したときの前記タイマのタイマ値と前回パルスを受信したときのタイマ値とに基づいて受信した前記信号のパルス間隔を判断した後に、前記高速クロックを前記低速クロックに切り換え、待機状態に戻るものである。
【００１０】
また、本発明の端末機器は、火災受信機と通信線を介して接続され、前記火災受信機からパルス幅が異なる信号を組み合わせた制御命令を受信して、火災情報等の応答信号を返送する端末機器において、低速クロックを発生する低速クロック発生部と、高速クロックを発生する高速クロック発生部と、タイマと、火災の検出や故障の判断などの各種処理を行う場合には前記高速クロックで動作し、各種処理を行っていない待機状態では前記低速クロックで動作する制御部とを備え、前記制御部は、前記火災受信機との通信を行っていない待機状態では前記低速クロックで動作し、前記火災受信機から受信したパルスエッジによる通信割り込みが発生すると、前記低速クロックを前記高速クロックに切り換え、前記タイマが動作していると判断した場合には、前記高速クロックにより動作して前記タイマのタイマ値に基づいて受信した前記信号のパルス幅を判断し、前記タイマをリセットして再び始動させた後に、前記高速クロックを前記低速クロックに切り換え、待機状態に戻るものである。
【００１１】
また、本発明の端末機器は、火災受信機と通信線を介して接続され、前記火災受信機からパルス幅が異なる信号を組み合わせた制御命令を受信して、火災情報等の応答信号を返送する端末機器において、低速クロックを発生する低速クロック発生部と、高速クロックを発生する高速クロック発生部と、タイマと、火災の検出や故障の判断などの各種処理を行う場合には前記高速クロックで動作し、各種処理を行っていない待機状態では前記低速クロックで動作する制御部とを備え、前記制御部は、前記火災受信機との通信を行っていない待機状態では前記低速クロックで動作し、前記火災受信機から受信したパルスエッジによる通信割り込みが発生するたびに前記低速クロックを前記高速クロックに切り換え、前記タイマが動作していると判断した場合には、前記高速クロックにより動作して前記タイマのタイマ値を記憶するとともに、現在のパルスエッジを受信したときの前記タイマのタイマ値と前回パルスエッジを受信したときのタイマ値とに基づいて受信した前記信号のパルス幅を判断した後に、前記高速クロックを前記低速クロックに切り換え、待機状態に戻るものである。
【００１２】
また、本発明の端末機器は、前記制御部が、前記制御命令が自分宛ではないと判断したときは、受信中の前記制御命令が終了するタイマ値になるまで、前記通信割り込みが発生しても前記高速クロックによる動作を行わないものである。
【発明の効果】
【００１４】
本発明における端末機器は、制御命令の判断をするときに高速クロックを利用するが、待機状態においては低速クロックで動作している。そのため、通信の内容が判断できないほどの低速クロックで動作させることができるので、消費電流を低減することができる。
【００１５】
また、本発明における端末機器は、制御命令が自分宛でないと判断したときには高速クロックによる動作をさせないため、消費電流をさらに低減することができる。
【００１６】
また、本発明における端末機器は、火災報知設備に用いることにより、消費電流を低減することができ、火災受信機に備える電池の容量を小さくすることができる。
【図面の簡単な説明】
【００１７】
【図１】本発明の実施の形態１および２における火災報知設備（Ｒ型）を示す概略構成図である。
【図２】本発明の実施の形態１および２における火災報知設備のブロック図である。
【図３】本発明の実施の形態１における火災報知設備の火災受信機と火災感知器との信号伝送の例を示す波形図および高速クロックと低速クロック動作の切り換えタイミングを示す図である。
【図４】本発明の実施の形態１における火災報知設備の通信動作の一例を示すフローチャートである。
【図５】本発明の実施の形態１における火災報知設備の通信動作の別の例を示すフローチャートである。
【図６】本発明の実施の形態２における火災報知設備の火災受信機と火災感知器との信号伝送の例を示す波形図および高速クロックと低速クロック動作の切り換えタイミングを示す図である。
【図７】本発明の実施の形態２における火災報知設備の通信動作の一例を示すフローチャートである。
【図８】本発明の実施の形態２における火災報知設備の通信動作の別の例を示すフローチャートである。
【発明を実施するための形態】
【００１８】
以下、本発明の端末機器を用いた火災報知設備について、図面を用いて詳細に説明する。
【００１９】
実施の形態１．
図１は、本発明の実施の形態１における火災報知設備（Ｒ型）を示す概略構成図である。
火災受信機１０は、信号線２を介して、光電式アナログ感知器３１、熱アナログ感知器３２、アドレッサブル発信機３３、感知器用中継器１１、ベル用中継器１２および防排煙制御用中継器１３等（後述の端末機器３５に相当）が接続されている。
【００２０】
また、感知器用中継器１１には、感知器用回線１を介して火災感知器３０（後述の端末機器３５に相当）が複数接続されている。また、ベル用中継器１２にはベル４０が接続されている。また、防排煙制御用中継器１３には、防火戸５０、排煙機５１、シャッタ５２およびたれ壁５３が接続されている。なお、感知器用回線１及び信号線２が本発明における通信線に相当する。
また、火災受信機１０は、図示しない電池を備えている。
【００２１】
このような構成により、火災受信機１０は、あらかじめ決められた様々な場所に設置されている種々の端末機器から情報を収集している。そして、火災受信機１０は、例えばアドレッサブル発信機３３の押し釦が押されている際に火災が発生したことを検知する。また、感知器用中継器１１から、火災発報している火災感知器３０が有るという状態情報を受信した場合にも火災が発生したことを判断する。
そして、火災受信機１０は、火災と判断した場合、火災警報を行うとともに、例えばベル用中継器１２に制御命令を送信してベル４０を鳴動させる。また、防排煙制御用中継器１３に制御命令を送信して、防火戸５０等を作動させて延焼を防ぐ等の動作を行う。
火災受信機１０は、通常は商用電源から電源を供給され動作するが、停電時においては、電池に切り換えて火災報知設備を動作させることができる。
【００２２】
図２は、本発明の実施の形態１における火災報知設備のブロック図である。
図２における端末機器３５は、図１に示した光電式アナログ感知器３１等である。また、以下の説明において、火災受信機１０を図１に示した感知器用中継器１１に置き換えてもよく、その場合、端末機器３５は、図１の火災感知器３０に相当する。また、端末機器３５は、火災報知設備に用いられ、火災受信機１０等の上位の機器と通信を行うものであればよく、図１に示したものに限られない。
【００２３】
図２に示すように、端末機器３５は、火災受信機１０および他の端末機器３５と信号線２で接続する送受信部３５ａと、送受信部３５ａと接続した制御部３５ｃを有している。また、端末機器３５は、制御部３５ｃに接続するタイマ３５ｂ、記憶部３５ｄ、高速クロック発生部３５ｅおよび低速クロック発生部３５ｆを有している。
【００２４】
送受信部３５ａは、火災受信機１０からの制御命令を受信して、自己の返送すべきスロットに状態情報を送信して通信を行う。送受信部３５ａは、送受信する際は、パルスの発生（パルスの立ち下がり）により火災受信機１０を検出すると送受信部３５ａは割り込み信号を出力して制御部３５ｃに通信割り込みをかける。なお、端末機器３５と火災受信機１０の通信方法について、詳しくは後述する。
【００２５】
また、制御部３５ｃは、例えばマイクロコンピュータ等から構成され、端末機器３５全体の制御を行っている。制御部３５ｃは、タイマ３５ｂ、高速クロック発生部３５ｅおよび低速クロック発生部３５ｆ等を制御する。記憶部３５ｄは、全体のプログラムが格納されていて、また、端末機器３５が、例えば光電式アナログ感知器３１であれば図示しない煙センサからの火災信号や煙センサの故障の情報、タイマ値およびタイマ値に基づくパルス間隔・幅などを一時的に記憶するものである。
【００２６】
図３は、本発明の実施の形態１における火災報知設備の火災受信機１０と端末機器３５との信号伝送の一例を示す波形図および高速クロックと低速クロック動作の切り換えタイミングを示す図である。ここでは、（１）〜（１５）が図３の丸数字にそれぞれ対応している。
端末機器３５には、個別のアドレスが付与されており、火災受信機１０は、そのアドレスに基づいて端末機器３５をグループ化して、例えば１５アドレス単位で火災感知器３０のデータを収集する。火災受信機１０は、端末機器３５のデータ収集において、起動パルス、基準パルス（１）およびコマンドＣＭ１（２）〜（５）を送出する。
【００２７】
火災受信機１０は、データ収集を開始する際、まず起動パルスを送出し、次に基準パルスを送出する。基準パルスは、伝送上のパルス間隔の基本長（例えば４ｍｓ）となるパルスであり、その間隔は立下りエッヂ間隔（ハイ（Ｈｉ）からロー（Ｌｏ）への変化タイミングと、次のハイからローへの変化タイミングの間）である。
【００２８】
コマンドＣＭ１は、端末機器３５への制御コマンドであり、１つの立下りエッヂ間隔で２ビットのコードを示している。このエッヂ間隔とコードの組み合わせは、例えば４ｍｓが００ｂ、６ｍｓが０１ｂ、８ｍｓが１０ｂ、１０ｍｓが１１ｂである。このように、８ビット（ｂ７〜ｂ０）のコードを４つのパルス間隔で示している。
【００２９】
これらの組み合わせによって、様々なアドレスの端末機器３５のデータを収集するポーリングにおける制御命令であるコマンドＣＭ１を形成する。火災受信機１０は、コマンドＣＭ１を送信することで、複数接続されている端末機器３５の状態情報を収集するため、何台かを１つのグループとして、端末機器３５に問いかけを行う。端末機器３５は、その問いかけに対して、端末機器３５から火災受信機１０への返信タイミングを定めるスロット０〜１４のうちの自己のアドレスに応じたスロットの基準パルスに続いて状態情報を示す返送パルスを火災受信機１０に返送する。
【００３０】
端末機器３５は、コマンドＣＭ１を解析して制御命令を認識し、自分宛であれば、返信タイミングであるスロット０〜１４においても通信割り込みにより高速クロックを動作する。端末機器３５は、例えば図３に示すように火災受信機１０の（７）〜（１０）のパルス制御命令に対し、通信割り込みのたびに高速クロックを動作して自己のアドレスに応じた返信スロットを検出して（１１）〜（１４）のように応答を返す。ここで、スロット１に返信する端末機器３５を例とすると、火災受信機１０からの制御命令に対する状態情報である返送パルス（１２）の返送中は（１５）のように高速クロックで動作する。
なお、この制御命令の認識の方法は、パルス間隔をタイマ３５ｂを用いて算出し、そのパルス間隔に応じて制御命令を判断するものである。この、パルス間隔の算出について、詳しくは後述する。
【００３１】
ここで、「状態情報」とは、端末機器３５が火災感知器３０である場合は、検出した火災現象の物理量データまたは火災信号である。また、端末機器３５が感知器用中継器１１である場合は、オンオフ式火災感知器やガス漏れ検知器が接続されているときに、火災信号やガス漏れ信号の有無を示すデータである。また、防火戸や地区ベル等の被制御機器が接続されているときに、これらの機器の開閉状態や動作中か否かを示すデータあるいは鳴動中か否かを示すデータである。また、端末機器３５が、感知器用中継器１１のように自動試験機能を備えたものである場合、例えば異常状態を示す異常信号のデータである。
【００３２】
一方で、端末機器３５は、ＣＭ１の制御命令が自分宛でなかった場合は、受信中の制御命令が終了するタイマ値になるまで、通信割り込みが発生しても高速クロックによる動作を行わずに低速クロックでの動作を続ける（スロット０〜１４の期間は、高速クロックによる動作を行わない。）。これにより、不要に高速クロックで動作させる必要がないため、消費電流を低減することができる。
なお、火災受信機１０から端末機器３５への通信、端末機器３５から火災受信機１０への通信は便宜的に分けて書いてあるが、同一配線を介して通信しているため、実際は重なっている。
【００３３】
図４は、本発明の実施の形態１における火災報知設備の通信動作の一例を示すフローチャートである。
端末機器３５は、火災受信機１０との通信を行っていない待機状態においては、制御部３５ｃが低速クロック発生部３５ｆに指令を送り、低速クロックで動作している（ステップ１）。そして、ステップ２において、送受信部３５ａが火災受信機１０からの通信により制御部３５ｃに通信割り込みをかけた場合は、制御部３５ｃは高速クロック発生部３５ｅに指令を送り、高速クロックで動作させる（ステップ３）。そして、制御部３５ｃは、ステップ４においてタイマ３５ｂが既に動作中であれば、タイマ値を読み込み、タイマ値からパルス間隔を算出し（ステップ５−１）、タイマ３５ｂをリセットする（ステップ６−１）。
【００３４】
制御部３５ｃは、ステップ６−１のタイマリセット後、またはステップ４においてタイマが動作中でなければ、タイマ３５ｂを動作させ（ステップ７）、再び低速クロックで動作させる（ステップ８）。なお、通信処理における最初の通信割り込みにおいては、タイマ３５ｂは動作していないのでステップ４の判定処理でタイマ３５ｂが動作中でないと判定され、タイマ３５ｂを動作させることとなる。また、制御部３５ｃは、ステップ５−１でタイマ値から算出したパルス間隔に応じて火災受信機１０からの制御命令の内容を認識する。
【００３５】
図５は、本発明の実施の形態１における火災報知設備の通信動作の別の例を示すフローチャートである。
図５のフローチャートにおいて、ステップ１〜４および８は図４と同じであるため、説明を省略する。図５において、制御部３５ｃは、ステップ４でタイマ３５ｂが動作中であった場合、ステップ５−２においてタイマ値を読み込み、タイマ値を記憶部３５ｄに記憶する。そして、制御部３５ｃは、ステップ６−２において、タイマ値を読み込み、記憶部３５ｄに記憶されている前回のタイマ値を用いて現在のタイマ値−前回のタイマ値を計算することによりパルス間隔を算出する。また、ステップ４において、タイマが動作中でないと判定した場合、ステップ７においてタイマを動作させる。このステップ７の処理は、通信処理における最初の通信割り込みのときのみ行われる。
【００３６】
端末機器３５は、通信において図４または図５に示した動作を行うため、火災受信機１０と通信を行っている期間の全てにおいて高速クロックで動作するのではなく、通信中であっても火災受信機１０からのパルスの発生（パルスの先頭）により通信割り込みがあったときのみ高速クロックで動作し、タイマの動作の始動処理およびパルス間隔の算出等の負荷の大きい処理（多くのクロック数を必要とする処理）を行う。また、待機状態においては低速クロックで動作し、既に動作しているタイマのカウントアップのみを行っており、送られた命令の解読等をする必要がない。そのため、端末機器３５は、低速クロック動作において、タイマのカウントアップのみのために必要な速度で動作すればよいため、命令の解読等の処理を考慮した場合よりも低速で動作できる。これにより、消費電流を低減することができる。
【００３７】
以上のように、本実施の形態１における端末機器３５は、通信割り込みにより制御命令の判断をするときに高速クロックを利用するが、それ以外の待機状態においては、通信の内容が判断できないほどの低速クロックで動作させることができるので、消費電流を低減することができる。
また、端末機器３５は、制御命令が自分宛でないときには高速クロックによる動作をさせないため、消費電流をさらに低減することができる。
なお、端末機器３５は、制御命令が自分宛であるときにおいても、自己のアドレスに応じた返送スロット以外の返送スロットの基準パルスおよび他の端末機器３５の返送パルスの発生では高速クロックによる動作をさせないようにして、消費電流をさらに低減するようにすることもできる。
【００３８】
実施の形態２．
実施の形態１では、端末機器３５がパルス間隔に応じて制御命令を判断する例について説明したが、本実施の形態２では、パルス幅に応じて制御命令を判断する例について説明する。
図６は、本発明の実施の形態２における火災報知設備の火災受信機と火災感知器との信号伝送の例を示す波形図および高速クロックと低速クロック動作の切り換えタイミングを示す図である。なお、本実施の形態２において、特に記述しない項目については実施の形態１と同様とし、同一の構成については同一の符号を用いて述べることとする。
【００３９】
本実施の形態２において火災受信機１０は、実施の形態１と同様に制御命令であるコマンドＣＭ１を送信することで、複数接続されている端末機器３５の状態情報を収集するため、何台かを１つのグループとして、端末機器３５に問いかけを行う。端末機器３５は、その問いかけに対して、自己のアドレスに応じてタイミングをはかり、状態情報を火災受信機１０に返送する。
【００４０】
図６においては、火災受信機１０から端末機器３５へのパルスエッジを検出すると送受信部３５ａは割り込み信号を出力して制御部３５ｃに通信割り込みをかける。その割り込みにより端末機器３５は、高速クロックの動作を行う。このパルスエッジとは、パルスの発生（パルスの立ち下がり）および終了（パルスの立ち上がり）の双方を意味している。そして、パルスの発生から終了までのタイマ値、つまりパルス幅によって、端末機器３５は制御命令の内容を判断している。このパルス幅の算出の方法について、詳しくは以下に示す。
【００４１】
図７は、本発明の実施の形態２における火災報知設備の通信動作の一例を示すフローチャートである。図７において、ステップ１〜４、７および８は実施の形態１の図４に示したものと同じであるため、説明を省略する。
【００４２】
制御部３５ｃは、ステップ４においてタイマが動作中であれば、通信割り込みがパルス発生かパルス終了かを判断する（ステップ９）。そして、制御部３５ｃは、ステップ９において、パルスの発生であれば、タイマリセットを行う（ステップ６−１）。また、パルスの終了であれば、タイマ値を読み込み、タイマ値からパルス幅を算出した（ステップ５−１）後、タイマリセットを行う（ステップ６−１）。また、制御部３５ｃは、上述したようにステップ５−１でタイマ値から算出したパルス幅に応じて火災受信機１０からの制御命令の内容を判断する。
【００４３】
図８は、本発明の実施の形態２における火災報知設備の通信動作の別の例を示すフローチャートである。なお、図８のフローチャートにおいて、ステップ１〜４および８は、実施の形態１で示した図５と同じであるため、説明を省略する。
【００４４】
図８において、制御部３５ｃは、ステップ４でタイマ動作中であった場合、通信割り込みがパルス発生かパルス終了かを判断する（ステップ９）。そして、制御部３５ｃは、ステップ９において、パルスの発生であれば、タイマ値を読み込み、タイマ値を記憶部３５ｄに記憶する（ステップ５−２）。また、パルスの終了であれば、タイマ値を読み込み、記憶部３５ｄに記憶されている前回のタイマ値を用いて現在のタイマ値−前回のタイマ値を計算することによりパルス幅を算出する（ステップ６−２）。そして、制御部３５ｃは、ステップ５−２またはステップ６−２の処理の後、低速クロックで動作させる。
【００４５】
端末機器３５は、通信において図７または図８に示した動作を行うため、火災受信機１０と通信を行っている期間の全てにおいて高速クロックで動作するのではなく、通信中であっても火災受信機１０からのパルスエッジにより通信割り込みがあったときのみ高速クロックで動作し、タイマの動作の始動処理およびパルス幅の算出等の負荷の大きい処理（多くのクロック数を必要とする処理）を行う。また、待機状態においては低速クロックで動作し、既に動作しているタイマのカウントアップのみを行っており、送られた命令の解読等をする必要がない。そのため、端末機器３５は、低速クロック動作において、タイマのカウントアップのみのために必要な速度で動作すればよいため、命令の解読等の処理を考慮した場合よりも低速で動作できる。これにより、消費電流を低減することができる。
【００４６】
以上のように、本実施の形態２における端末機器３５は、通信割り込みにより制御命令の判断をするときに高速クロックを利用するが、待機状態においては、通信の内容が判断できないほどの低速クロックで動作させることができるので、消費電流を低減することができる。
また、端末機器３５は、制御命令が自分宛でないときには高速クロックによる動作をさせないため、消費電流をさらに低減することができる。
また、火災報知設備は、上記の効果を有する端末機器を用いているので、消費電流を低減することができ、火災受信機に備える電池の容量を小さくすることができる。
なお、各実施の形態では、低速クロックと高速クロックとを切り換えて端末機器３５を制御したが、低速クロックを継続して動作させて、通信割り込みがあったときのみ同時に高速クロックを動作させて、負荷の大きい処理を行う様にしても良い。
【符号の説明】
【００４７】
１  感知器用回線、２  信号線、１０  火災受信機、１１  感知器用中継器、１２  ベル用中継器、１３  防排煙制御用中継器、３０  火災感知器、３１  光電式アナログ感知器、３２  熱アナログ感知器、３３  アドレッサブル発信機、３５  端末機器、３５ａ  送受信部、３５ｂ  タイマ、３５ｃ  制御部、３５ｄ  記憶部、３５ｅ  高速クロック発生部、３５ｆ  低速クロック発生部、４０  ベル、５０  防火戸、５１  排煙機、５２  シャッタ、５３  たれ壁。
【図１】
0005865650.tif 000002
【図２】
0005865650.tif 000003
【図３】
0005865650.tif 000004
【図４】
0005865650.tif 000005
【図５】
0005865650.tif 000006
【図６】
0005865650.tif 000007
【図７】
0005865650.tif 000008
【図８】
0005865650.tif 000009